(57)【要約】【課題】裏面を視認できるようにしても、制御基板の不正交換防止が充分に図れる基板ケースの提供。【解決手段】副基板ケース20の支持軸41B をパネルケース30側の軸受孔44B で受けて、副基板ケース20を揺動可能とし、且つ、副基板ケース20側の接合片54に形成した固定ネジ挿通孔55に挿通した図示しないネジを、パネルケース30側の固定ネジ孔56に螺合し、これにより、副基板ケース20をネジ止めで傾斜位置αに固定するようにしたので、副基板ケース20の裏側の面を下方から視認でき、しかも、パネルケース30にネジ止めされた副基板ケース20は強奪が困難となり、従って、基板ケース20内の副制御基板の不正改造を未然に防止でき、副制御基板16の不正交換防止を充分に図ることができる。【選択図】    図１１
2013215457.tif 000002
【特許請求の範囲】
【請求項１】
遊技機に設けられた装置の動作を制御する制御回路が形成された制御基板を内部に収納するために、少なくともベース部及び蓋部に分割された箱状に形成され、且つ、遊技機の内部における所定位置に固定された被固定部材の背面に背負われるように取り付けられる基板ケースであって、
前記被固定部材の前記背面には、当該背面と対向する前記ベース部側の底面が当該背面に対して平行となる平行位置と、前記底面が当該背面に対して傾斜する傾斜位置との二位置の間を揺動可能に、前記ベース部を支持する揺動支持部が設けられ、
前記蓋部が一体化されているとともに、傾斜位置に配置された状態の前記ベース部が傾斜位置から平行位置へ向かって移動しないように、当該基板ケースを前記被固定部材の前記背面に固定する固定手段が設けられていることを特徴とする基板ケース。
【発明の詳細な説明】
【技術分野】
【０００１】
本発明は、遊技機に設けられた装置の動作を制御する制御回路が形成された制御基板を内部に収納するために、少なくともベース部及び蓋部に分割された箱状に形成され、且つ、遊技機の内部における所定位置に固定された被固定部材の背面に背負われるように取り付けられる基板ケースに関する。
【背景技術】
【０００２】
従来から、スロットマシン等の遊技機は、遊技を行うのに必要な遊技装置、遊技装置の動作を制御する制御回路を有する主制御装置、遊技の演出を行う液晶表示装置等の演出装置の動作を制御する制御回路を有する副制御装置、及び、遊技装置及び制御基板に電力を供給する電源装置等を備えたものとなっている。
このうち、主制御装置及び副制御装置等の制御装置は、遊技動作を制御するプログラムを記憶したＲＯＭ、及び、高速演算機能を有するＬＳＩ等からなるＣＰＵ等のハードウェアを備え、ＲＯＭに記憶されたプログラム等のソフトウェアをＣＰＵで実行することで制御を行うものとなっている。
このため、メダル等の遊技媒体を容易に獲得することができる不正なプログラムが書き込まれたＲＯＭに交換されると、多量の遊技媒体が不正に獲得されてしまう。
【０００３】
このような不正行為を防止するために、制御装置の主要部である制御回路が形成された回路基板を収納する箱状の基板ケースを設け、内部に回路基板を入れて閉じた基板ケースを封止ピン等で封止するようにしている。
ここで、基板ケースを封止する封止ピンとして、その頭部に管理用データが刻印された特殊ピンを採用した基板ケースが提案されている（例えば、特許文献１参照）。
このような特殊ピンを基板ケースの封止に利用すれば、特殊ピンを破壊して、基板ケースを開放すると、その後、破壊した特殊ピンで基板ケースを封止することができず、別の特殊ピンを利用して、基板ケースの封止を行うと、頭部の管理用データが相違するので、頭部の管理用データの適否を確認すれば、基板ケースが不正に開放されたことを速やかに把握することができる。
なお、特殊ピンの頭部に管理用データを刻印するにあたり、レーザー光線で刻印を行う刻印装置を利用すれば、特殊ピンで基板ケースを封止した後、基板ケースを封止している特殊ピンの頭部に、直接、管理用データを刻印することができる。
【０００４】
一方、前述のような基板ケースでは、通常は隠れている基板ケース裏側の底面に孔等を開けて、基板ケースの裏側から、基板ケース側の封止部位を破壊すれば、特殊ピンを破壊することなく、基板ケースを開放することができ、しかも、表側から視認したのでは、基板ケースの破壊部分が確認しづらく、基板ケースの不正開放を見過ごすおそれがある、という問題がある。
この問題を解決するために、基板ケースの側面に支持軸を突設し、この支持軸を回転自在に支持する支持アームを遊技機側に設け、この支持アームに基板ケースを揺動可能に支持させ、基板ケースの揺動によって、基板ケース裏側の底面を正面側に向け、基板ケースの裏側を直接視認できるようにし、これにより、基板ケースの裏側に形成された破壊部分を容易に視認可能とし、基板ケースの不正開放を確実に発見できるようにした遊技機が知られている（例えば、特許文献２参照）。
【先行技術文献】
【特許文献】
【０００５】
【特許文献１】特開平１１−７６５６９号公報
【特許文献２】特開２０１０−２４００６６号公報
【発明の概要】
【発明が解決しようとする課題】
【０００６】
前述のような基板ケースでは、基板ケースを揺動可能に支持する支持機構、具体的には、基板ケース側の支持軸、及び、支持軸を回転自在に支持する支持アームが比較的脆弱なので、支持機構を破壊することで、制御基板を収納した基板ケースの強奪が比較的容易に行え、強奪した基板ケースの制御基板を改造し、この改造制御基板を利用して、制御基板の不正交換が行われるおそれがあり、従って、裏側を視認できるようにすると、制御基板の不正交換防止が充分に図れない、という問題がある。
【０００７】
そこで、各請求項にそれぞれ記載された各発明は、上記した従来の技術の有する問題点に鑑みてなされたものであり、その目的とするところは、裏面を視認できるようにしても、制御基板の不正交換防止が充分に図れる基板ケースを提供することである。
【課題を解決するための手段】
【０００８】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【０００９】
（請求項１）
（特徴点）
請求項１記載の発明は、次の点を特徴とする。
すなわち、請求項１に記載された発明は、遊技機(１)に設けられた装置の動作を制御する制御回路が形成された制御基板(16)を内部に収納するために、少なくともベース部(21)及び蓋部(22)に分割された箱状に形成され、且つ、遊技機(１)の内部における所定位置に固定された被固定部材(30)の背面(30C) に背負われるように取り付けられる基板ケース(20)であって、前記被固定部材(30)の前記背面(30C) には、当該背面(30C) と対向する前記ベース部(21)側の底面(21B) が当該背面(30C) に対して平行となる平行位置(β)と、前記底面(21B) が当該背面(30C) に対して傾斜する傾斜位置(α)との二位置の間を揺動可能に、前記ベース部(21)を支持する揺動支持部(40)が設けられ、前記蓋部(22)が一体化されているとともに、傾斜位置(α)に配置された状態の前記ベース部(21)が傾斜位置(α)から平行位置(β)へ向かって移動しないように、当該基板ケースを前記被固定部材(30)の前記背面(30C) に固定する固定手段(50)が設けられていることを特徴とする。
【発明の効果】
【００１０】
本発明によれば、以下のような効果が得られる。
すなわち、本発明によれば、基板ケースに設けられたベース部を、その底面が被固定部材の背面に対して傾斜する傾斜位置に配置した後、固定手段で、基板ケースを被固定部材の背面に固定すれば、ベース部の底面が被固定部材の背面から離れ、ベース部の底面、すなわち、基板ケースの裏側の面を視認することができ、これにより、基板ケースの裏側に対して行われた不正行為を確実に発見することができ、この点から、制御基板の不正交換防止を図ることができる。
また、基板ケースを被固定部材の背面に固定する固定手段として、破壊に対して充分に堅牢なものを採用すれことができ、このような堅牢な固定手段を採用すれば、当該固定手段を破壊することが困難となるので、当該固定手段を破壊して、制御基板を収納した基板ケースを強奪することも困難となり、これにより、奪取した基板ケースの制御基板の不正改造を未然に防止することができ、さらには、制御基板の不正交換も未然に防止することができ、従って、裏側を視認できるようにしても、制御基板の不正交換防止を充分に図ることができ、以上により、前記目的が達成される。
なお、基板ケースのベース部を蓋部で閉じ、さらに、封止部材で基板ケースを閉じた状態に封止し、この状態で、前述の封止部材等にレーザー光線で刻印を行うにあたり、ベース部の底面が被固定部材の背面に対して平行となる平行位置にベース部、すなわち、基板ケースを配置すれば、基板ケースの蓋部表面に照射されるレーザー光線の入射角が、従来の場合と同様の角度となり、レーザー刻印装置の治具等を何ら変更することなく、基板ケースや封止部材等にレーザー刻印を施すことができる。
【図面の簡単な説明】
【００１１】
【図１】本発明の一実施形態の全体を示す正面図である。
【図２】前記実施形態に係る筐体内部を示す正面図である。
【図３】前記実施形態に係る傾斜状態の副基板ケースを示す斜視図である。
【図４】前記実施形態に係る傾斜状態の副基板ケースを示す側面図である。
【図５】前記実施形態に係る副基板ケースを背面側から示す分解斜視図である。
【図６】前記実施形態に係る副基板ケースを正面側から示す分解斜視図である。
【図７】前記実施形態に係る揺動支持部を示す斜視図である。
【図８】前記実施形態に係る別の揺動支持部を示す斜視図である。
【図９】前記実施形態に係る平行状態の副基板ケースを示す斜視図である。
【図１０】前記実施形態に係る平行状態の副基板ケースを示す側面図である。
【図１１】前記実施形態に係る固定手段を示す斜視図である。
【図１２】前記実施形態に係る平行状態の副基板ケースを示す背面図である。
【発明を実施するための形態】
【００１２】
以下に、本発明を実施するための形態である一実施形態について、図面を参照しながら説明する。
（スロットマシン１の概要）
図１には、本実施形態に係る遊技機としてのスロットマシン１が示されている。図１において、スロットマシン１は、三個の回転リール11の各々に記された複数種類の図柄が所定の組み合わせとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１３】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１４】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄（図示略）が記されている。そして、各回転リール11の図柄は、筐体２の外部から表示窓4Aを通して目視可能となっている。
【００１５】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００１６】
表示窓4A及び演出用照明装置4Bの間には、遊技の演出用画像を表示する液晶表示パネル装置4Eが設けられている。この液晶表示パネル装置4Eは、動画を含む様々な画像を、遊技の進行に応じて表示するものである。
液晶表示パネル装置4Eの両側には、遊技に係る効果音を発生するスピーカを備えた音声出力部4Fがそれぞれ設けられている。
【００１７】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップスイッチ7Dが設けられている。これら三個のストップスイッチ7Dのうち、左端に配置されているストップスイッチ7Dの左斜め上方には、一度の操作で最大枚数のメダルを賭けることができるマックスベットスイッチ7Eが設けられている。
また、左端のストップスイッチ7Dの左方であって、マックスベットスイッチ7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算スイッチ7Hが設けられている。
【００１８】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００１９】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた主制御基板15を内蔵する主基板ケース2D、三個の回転リール11が回転自在に支持するとともに、これらの回転リール11のそれぞれを駆動する図示しないモータを備えたリールユニット10、内部に多数のメダルを貯留させる容器部12Aを備えるとともに受皿部6Aに向かってメダルを排出するホッパユニット12、及び、これらの装置に電力を供給する電源装置13等が設けられている。
【００２０】
このうち、リールユニット10は、それぞれが円筒状に形成された複数の回転リール11を有するものである。そして、これらの回転リール11の各外周面には、特に図示していないが、複数種類の図柄が記されている。
前扉３の裏側の面には、表側の面に配置された液晶表示パネル装置4Eに対応して、液晶表示パネル装置4E、演出用照明装置4B〜4D及び音声出力部4F, 6Cの動作を制御する後述の副制御基板16を内蔵する副基板ケース20が設けられている。
また、前扉３の裏側の面には、表側の面に開口されたメダル投入口7Bに対応して、投入されたメダルの適否を判定するメダルセレクタ14が設けられている。
【００２１】
（主制御基板15）
以下に、主制御基板15について説明する。この主制御基板15は、その構成・機能が従来のものとほぼ同等なので、以下の説明では、その構成・機能の概略を述べる。
主制御基板15は、各種の処理を行うＣＰＵ、制御用のプログラムを記憶したＲＯＭ、処理に必要なデータを記憶するＲＡＭ、及び、外部との信号の送受信を行うための送受信ポートを備えたＩ／Ｏ部等を備えたものとなっている。
このような主制御基板15は、遊技における当選役の抽選処理など、遊技動作に関する処理を中心的に行うものであり、主制御基板15の処理により決定された当選役の抽選結果、入賞結果及び遊技状態等の各種遊技情報を、適宜、副制御基板16に送信する機能を備えている。
主基板ケース2Dは、主制御基板15を収容し、上述した主制御基板15を不正から保護するために、後述する副基板ケース20と同様に、外部から主制御基板15へのアクセスが行われた痕跡が残るように所謂カシメによる封止部2Eを備えている。
（副制御基板16）
以下に、副制御基板16について説明する。この副制御基板16は、その構成・機能が従来のものとほぼ同等なので、以下の説明では、その構成・機能の概略を述べる。
副制御基板16は、前述の主制御基板15と同様に、各種の処理を行うＣＰＵ、制御用のプログラムを記憶したＲＯＭ、処理に必要なデータを記憶するＲＡＭ、及び、外部との信号の送受信を行うための送受信ポートを備えたＩ／Ｏ部等を備えたものとなっている。
そして、副制御基板16には、スロットマシン１に設けられている一装置である液晶表示パネル装置4Eの動作を制御する制御回路が形成されている。
【００２２】
(副基板ケース20)
次に、前述の副基板ケース20について説明する。
副基板ケース20は、副制御基板16を内部に収納するために、箱状に形成されたものとなっており、前扉３の裏側に取り付けられるようになっている。
すなわち、前扉３の裏側における表側の液晶表示パネル装置4Eに対応した位置には、図２の如く、内部に液晶表示パネル装置4Eを収納するために、箱状に形成されたパネルケース30が固定されている。
また、副基板ケース20は、スロットマシン１の内部における所定位置、具体的には、前扉３の裏側における表側の液晶表示パネル装置4Eに対応した位置に固定されたパネルケース30の背面に背負われるように取り付けられている。
以上において、パネルケース30は、スロットマシン１の内部における所定位置に固定されるとともに、図３及び図４に示すように、その背面30C に背負うように副基板ケース20が取り付けられる被固定部材である。
【００２３】
ここで、副基板ケース20は、図５及び図６に示すように、副制御基板16が取り付けられるベース部21と、ベース部21に取り付けられた副制御基板16を覆う蓋部22とに分割可能となったものである。
このうち、ベース部21の四隅部分、及び、図５中上方の長辺の途中部分のそれぞれには、図示しないネジを螺合させる筒状のボス21A が立設されている。
一方、蓋部22には、ベース部21側のボス21A に対応して、底部に図示しないネジを挿通させるネジ挿通孔22A （図６にのみ示す。）が形成された凹部22B が設けられている。
【００２４】
凹部22B には、筒状に形成された封止カシメ部材22C （図５にのみ示す。）が嵌め込まれるようになっている。
この凹部22B の内側面には、封止カシメ部材22C 側に設けられた図示しない係止爪を係止する図示しない係止凹部が設けられている。
封止カシメ部材22C は、一方の端部が塞がれた筒状の部材である。このような封止カシメ部材22C の側面には、前述の図示しない係止爪が突設されている。そして、この係止爪は、全体がほぼ楔形状に形成されたものとなっている。
【００２５】
このような封止カシメ部材22C は、一旦、凹部22B の内部に嵌め込まれると、その係止爪が凹部22B の内側に形成された係止凹部に係止され、当該蓋部22及び封止カシメ部材22C の少なくとも一方を破壊して、係止凹部による係止爪の係止を解除しなければ、凹部22B から取り外すことができないようになっている。
また、副基板ケース20は、ベース部21に副制御基板16が取り付けられた状態で、蓋部22側のネジ挿通孔22A に挿通された図示しないネジを、ベース部21に形成されたボス21A に螺合させることによって、ベース部21に蓋部22が接合され、副制御基板16を内部に収納した状態で閉鎖されるようになっている。
【００２６】
さらに、副基板ケース20は、ベース部21に蓋部22を接合する図示しないネジが、凹部22B に嵌め込まれた封止カシメ部材22C によって封止され、これにより、副制御基板16を内部に収納し、且つ、封止するようになっている。
なお、副制御基板16には、ベース部21側のボス21A に対応して、ベース部21に蓋部22が接合する図示しないネジを挿通させるネジ挿通孔16A が形成されている。これにより、副制御基板16を内部に収納した状態で、ベース部21に蓋部22を図示しないネジで接合することにより、副制御基板16がベース部21に固定、ひいては、副基板ケース20に固定されるようになっている。
また、副基板ケース20には、後述する固定手段50を封止するために、封止カバー23, 24が取り付けられるようになっている。
【００２７】
（パネルケース30）
パネルケース30は、内部に液晶表示パネル装置4Eを収納するために、図６の如く、前扉３に臨む面が開口部30A となった箱状に形成されたものである。
液晶表示パネル装置4Eは、開口部30A からパネルケース30の内部に入れられ、図５及び図６中、パネルケース30の両側に形成されている側壁部30B を貫通する図示しないネジを液晶表示パネル装置4Eの側面部4Gに螺合させることよって、パネルケース30に固定されるようなっている。
【００２８】
パネルケース30の側壁部30B の各々には、図３〜図６に示すように、側壁部30B から突出するとともに、図示しないディスク型の留め具が嵌め込まれる２個の耳部31が互いに離間して設けられている。
これらの耳部31の各々に嵌め込まれる留め具には、前扉３に螺合させる図示しないネジが挿通され図示しないネジ挿通孔が形成されている。
パネルケース30は、耳部31に嵌め込まれた留め具のネジ挿通孔に挿通されたネジを前扉３に螺合させることで、前扉３に固定されるようになっている。
なお、耳部31には、パネルケース30を前扉３に固定する前述のネジの頭部を覆う後述する封止カシメ部材31A （図１２参照）が嵌め込まれるようになっている。
この封止カシメ部材31A は、一旦、パネルケース30の耳部31に嵌め込まれると、耳部31及び当該封止カシメ部材31A の少なくとも一方を破壊しなければ、凹部22B から取り外すことができないようになっている。
【００２９】
以上において、副基板ケース20は、図３及び図４の如く、当該背面30C と対向するベース部21側の底面21B が当該背面に対して傾斜する傾斜位置α（図４参照）に配置された状態で、パネルケース30の背面30C に固定されている。
すなわち、パネルケース30の背面30C には、副基板ケース20のベース部21を揺動可能に支持する揺動支持部40と、ベース部21の底面21B が傾斜位置αから移動しないように、副基板ケース20を固定する固定手段50と、ベース部21の底面21B が後述する平行位置βに配置された状態に副基板ケース20を仮固定する仮固定手段60とが設けられている。
【００３０】
（揺動支持部40）
揺動支持部40は、副基板ケース20側に設けられた支持軸41A, 41Bと、パネルケース30側に設けられた後述の軸受部42A, 42Bとを備え、支持軸41A, 41Bをそれぞれ軸受部42A, 42Bで回動可能に支持するものとなっている。
さらに詳しく説明すると、副基板ケース20のベース部21には、図５の如く、図５中左右両側に配置された側壁部21C, 21Dのそれぞれから互いに反対方向へ突出する支持軸41A, 41Bが設けられている。
支持軸41A, 41Bは、その中心軸が同一線上に配置され、且つ、当該側壁部21C, 21Dにおける図５中上端から下方へずれた部分に配置されたものとなっている。
【００３１】
パネルケース30の背面30C には、図５の如く、側壁部30B の図５中上端近傍部分から副基板ケース20へ向かって突出する支柱部43A, 43Bが設けられている。
これらの支柱部43A, 43Bの各々における副基板ケース20側へ突き出た頂部には、図５の如く、当該パネルケース30の背面30C と平行な平行面43C, 43Dと、背面30C に対して傾斜した傾斜面43E, 43Fとが隣接するように設けられている。
そして、傾斜面43E, 43Fは、平行面43C, 43Dにおける図５中上方の端縁から、パネルケース30の背面30C における図５中上方の端縁へ向かって延びているとともに、背面30C における図５中上方の端縁へ向かって下り勾配となるように形成されている。
【００３２】
支柱部43A の平行面43C には、副基板ケース20側の支持軸41A を受けるために、当該平行面43C から副基板ケース20へ向かって突出する軸受ポスト45A が立設されている。
支柱部43B の平行面43D には、副基板ケース20側の支持軸41B を受けるために、当該平行面43D から副基板ケース20へ向かって突出する軸受ポスト45B が立設されている。
副基板ケース20は、その支持軸41A, 41Bを除いた幅寸法が軸受ポスト45A, 45Bの間隔よりも若干小さくされ、パネルケース30の背面30C に沿わせて近接配置されると、軸受ポスト45A, 45Bの間に収まるようになっている。
【００３３】
副基板ケース20側の側壁部21C には、図７に示すように、パネルケース30側の軸受ポスト45A に向かって張り出した四角形状のバルジ部21E が設けられている。
側壁部21C 側に設けられた支持軸41A は、側壁部21C に形成されたバルジ部21E の軸受ポスト45A に対向する面に立設された円柱状の軸である。
軸受ポスト45A における側壁部21C のバルジ部21E に対向する面には、図７の如く、支持軸41A が挿入される軸受孔44A が形成されている。
副基板ケース20側の支持軸41A は、その外径がパネルケース30側の軸受孔44A の内径よりも一回り小さくされ、軸受孔44A の内部に支持軸41A が挿入された状態でも、軸受孔44A に対して支持軸41A を傾斜させることが可能となっている。
これにより、副基板ケース20は、軸受孔44A の内部に支持軸41A が挿入さるた状態で、その全体が軸受孔44A を支点として図７中上下左右方向に揺動自在となっている。
【００３４】
一方、副基板ケース20における側壁部21C とは反対側に設けられた側壁部21D に形成された支持軸41B は、図８に示すように、断面が長方形状に形成された平板状の軸となっている。
この支持軸41B は、その長方形状の断面における長辺が、副基板ケース20側のベース部21の底面21B とほぼ直角に交差する方向に延びたものとなっている。
一方、支持軸41B に対応する軸受ポスト45B には、副基板ケース20側の側壁部21D に対向する面に開口されて、支持軸41B が挿入されるように形成された軸受孔44B が設けられている。
【００３５】
また、軸受ポスト45B の頂部には、図８の如く、軸受孔44B の内部に連通するスリット45C が形成されている。
このスリット45C は、副基板ケース20側に設けられた平板状の支持軸41B の厚さ寸法に応じた幅寸法を有し、支持軸41B を内部に挿通させることが可能となっている。
換言すると、副基板ケース20側に設けられた平板状の支持軸41B は、軸受孔44B の正面開口（側壁部21D に対向する開口）から軸受孔44B の内部に収納することができるうえ、軸受ポスト45B の頂部に形成されたスリット45を通じて軸受孔44B の内部に収納することができるようになっている。
【００３６】
以上のような支柱部43A, 43B、軸受ポスト45A, 45B、軸受孔44A, 44B及び支持軸41A, 41Bは、ベース部21を揺動可能に支持する揺動支持部40を形成するものとなっている。
このような揺動支持部40は、図９及び図１０に示すように、パネルケース30の背面30C と対向するベース部21の底面21B が、背面30C に対して平行となる平行位置β（図１０参照）と、図３及び図４に示すように、ベース部21の底面21B が、背面30C に対して傾斜する傾斜位置αとの二位置の間を揺動可能に、ベース部21を支持するものとなっている。
【００３７】
次に、パネルケース30に設けられた軸受ポスト45A, 45Bの軸受孔44A, 44Bに、副基板ケース20の支持軸41A, 41Bを挿入する手順について、簡単に説明する。
まず、支持軸41B よりも支持軸41A がパネルケース30に近接するように、副基板ケース20をパネルケース30に対して傾斜させ、この状態で、副基板ケース20側の支持軸41A をパネルケース30側の軸受孔44A の内部に挿入する。
この際、副基板ケース20側の支持軸41A は、その外径がパネルケース30側の軸受孔44A の内径よりも一回り小さいので、支持軸41A を軸受孔44A の内部に挿入しても、副基板ケース20をパネルケース30に対して傾斜した状態を維持することができる。
【００３８】
次いで、パネルケース30側の軸受孔44A の内部に挿入した支持軸41B を支点として、副基板ケース20を回動させて、支持軸41B を軸受ポスト45B の頂部に接近させ、さらに、軸受ポスト45B に設けられたスリット45の内部に入れ、このスリット45から軸受孔44B の内部へ支持軸41B を移動させ、支持軸41B を軸受孔44B の内部に収納させ、以上により、軸受孔44A, 44Bに支持軸41A, 41Bを挿入する手順が完了する。
【００３９】
なお、スリット45を通じて軸受孔44B の内部に支持軸41B を挿入すると、副基板ケース20は、平行位置βに配置された状態となる。この副基板ケース20が平行位置βに配置された状態では、支持軸41B は、スリット45を通じて軸受孔44B への挿入及び軸受孔44B からの取り出しが自在に行えるようになっている。
一方、軸受孔44A, 44Bのそれぞれに支持軸41A, 41Bが挿入され、且つ、副基板ケース20が傾斜位置αに配置された状態では、支持軸41B がスリット45に対して傾斜し（図１１参照）、これにより、支持軸41B がスリット45を通過することができず、従って、支持軸41B を軸受孔44B から取り出すことができないようになっている。
【００４０】
（固定手段50）
固定手段50は、蓋部22が一体化され、且つ、傾斜位置αに配置された状態のベース部21が傾斜位置αから平行位置βへ向かって移動しないように、副基板ケース20をパネルケース30の背面30C に固定するものである。
【００４１】
すなわち、ベース部21の側壁部21C から張り出したバルジ部21E は、図７に示すように、平面視で「コ」字形に形成された部位である。
この「コ」字形のバルジ部21E には、パネルケース30の背面30C に対向する面を塞ぐ底板部51A, 51Bが設けられている。
このうち、底板部51B は、支持軸41A の中心軸の近傍に配置されているとともに、ベース部21の底面21B と平行となった平板状の部位である。
【００４２】
底板部51A は、支持軸41A の中心軸から底板部51B よりも離れた位置に配置され、且つ、ベース部21が傾斜位置αに配置されると、支柱部43A の頂部に形成された平行面43C に全体が密着するように、底面21B に対して傾斜した平板状の部位となっている。
このような底板部51A には、図示しないネジを挿通させる固定ネジ挿通孔52が形成されている。
パネルケース30側の平行面43C には、ベース部21が傾斜位置αに配置されると、ベース部21側の底板部51Aに形成された固定ネジ挿通孔52と同軸となって連通する固定ネジ孔53が形成されている。
固定ネジ孔53は、傾斜位置αに配置されたベース部21側の底板部51A に形成されている固定ネジ挿通孔52に挿通された図示しないネジと螺合するネジ孔である。
【００４３】
ベース部21を傾斜位置αに配置した状態で、ベース部21側の固定ネジ挿通孔52に挿通された図示しないネジを固定ネジ孔53に螺合させることで、副基板ケース20側の底板部51A が、パネルケース30側の支柱部43A に接合され、これにより、副基板ケース20は、傾斜位置αに配置された状態のベース部21が傾斜位置αから平行位置βへ向かって移動しないように、パネルケース30の背面30C に固定されるようになっている。
【００４４】
ここで、副基板ケース20側の蓋部22には、図７の如く、ベース部21側に設けられたバルジ部21E に近接する部位に、前述の封止カバー23（図５参照）の位置決めを行う突条部22D と、封止カバー23を取り付けるための図示しないネジを螺合させるネジ孔22E とが設けられている。
封止カバー23は、ベース部21が傾斜位置αに配置された副基板ケース20がパネルケース30の背面30C に固定されている状態で、副基板ケース20側の蓋部22に、図示しないネジで取り付けられるカバー部材となっている。
【００４５】
そして、封止カバー23は、蓋部22に取り付けられると、図３の如く、副基板ケース20側の底板部51A とパネルケース30側の支柱部43A との接合部分、並びに、副基板ケース20側の支持軸41A の周辺部分、及び、パネルケース30側の軸受ポスト45A を覆うようになっている。
また、封止カバー23には、当該封止カバー23を蓋部22に取り付けるための図示しないネジの頭部を内部に収納する凹部23A が設けられている。
この凹部23A には、当該凹部23A の内部に収納された図示しないネジの頭部を覆う筒状の封止カシメ部材23B が嵌め込まれるようになっている。
【００４６】
この際、凹部23A の内側面には、封止カシメ部材23B 側に設けられた図示しない係止爪を係止する図示しない係止凹部が設けられている。
封止カシメ部材23B は、一方の端部が塞がれた筒状の部材である。このような封止カシメ部材23B の側面には、前述の図示しない係止爪が突設されている。そして、この係止爪は、全体がほぼ楔形状に形成されたものとなっている。
【００４７】
このような封止カシメ部材23B は、一旦、凹部23A の内部に嵌め込まれると、その係止爪が凹部23A の内側に形成された係止凹部に係止され、当該封止カバー23及び封止カシメ部材23B の少なくとも一方を破壊して、係止凹部による係止爪の係止を解除しなければ、凹部23A から取り外すことができないようになっている。
【００４８】
一方、ベース部21の側壁部21D には、図８に示すように、支持軸41B の近傍位置に配置されるとともに、支持軸41B と同じ方向へ突出する接合片54が設けられている。
接合片54は、支持軸41B の回転軸とは離間して配置された長方形状の部位である。
この接合片54には、図１１に示すように、ベース部21が傾斜位置αに配置されると、支柱部43B の頂部に形成された平行面43D に全体が密着するように、底面21B に対して傾斜した平板状の部位である底板部54B が設けられている。
このような底板部54B には、図示しないネジを挿通させる固定ネジ挿通孔55が形成されている。
【００４９】
パネルケース30側の平行面43D には、図１１の如く、ベース部21が傾斜位置αに配置されると、ベース部21側の底板部54B に形成された固定ネジ挿通孔55と同軸となって連通する固定ネジ孔56が形成されている。
固定ネジ孔56は、傾斜位置αに配置されたベース部21側の底板部54B に形成されている固定ネジ挿通孔55に挿通された図示しないネジと螺合するネジ孔である。
【００５０】
ベース部21を傾斜位置αに配置した状態で、ベース部21側の固定ネジ挿通孔55に挿通された図示しないネジを固定ネジ孔56に螺合させることで、副基板ケース20は、傾斜位置αに配置された状態のベース部21が傾斜位置αから平行位置βへ向かって移動しないように、パネルケース30の背面30C に固定されるようになっている。
【００５１】
ここで、副基板ケース20側の蓋部22には、図８及び図１１の如く、ベース部21の側壁部21D に沿った側縁の中央部分に、前述の封止カバー24（図５参照）の位置を決める突起部22F と、封止カバー24を取り付けるための図示しないネジを螺合させるネジ孔22G とが設けられている。
封止カバー24は、封止カバー23と同様に、ベース部21が傾斜位置αに配置された副基板ケース20がパネルケース30の背面30C に固定されている状態で、副基板ケース20側の蓋部22に、図示しないネジで取り付けられるカバー部材となっている。
【００５２】
そして、封止カバー24は、蓋部22に取り付けられると、図３の如く、副基板ケース20側の底板部54B とパネルケース30側の支柱部43B との接合部分、並びに、副基板ケース20側の支持軸41B の周辺部分、及び、パネルケース30側の軸受ポスト45B を覆うようになっている。
また、封止カバー24には、当該封止カバー23を蓋部22に取り付けるための図示しないネジの頭部を内部に収納する凹部24A が設けられている。
この凹部24A には、当該凹部24A の内部に収納された図示しないネジの頭部を覆う筒状の封止カシメ部材24B が嵌め込まれるようになっている。
【００５３】
この際、凹部24A の内側面には、封止カシメ部材24B 側に設けられた図示しない係止爪を係止する図示しない係止凹部が設けられている。
封止カシメ部材24B は、一方の端部が塞がれた筒状の部材である。このような封止カシメ部材24B の側面には、前述の図示しない係止爪が突設されている。そして、この係止爪は、全体がほぼ楔形状に形成されたものとなっている。
【００５４】
このような封止カシメ部材24B は、一旦、凹部24A の内部に嵌め込まれると、その係止爪が凹部24A の内側に形成された係止凹部に係止され、当該封止カバー24及び封止カシメ部材24B の少なくとも一方を破壊して、係止凹部による係止爪の係止を解除しなければ、凹部24A から取り外すことができないようになっている。
【００５５】
以上において、底板部51A 、固定ネジ挿通孔52、固定ネジ孔53、及び、固定ネジ孔53に螺合する図示しないネジ、並びに、接合片54、底板部54B 、固定ネジ挿通孔55、固定ネジ孔56、及び、固定ネジ孔56に螺合する図示しないネジは、蓋部が一体化されているベース部21が傾斜位置αの配置された状態の副基板ケース20をパネルケース30の背面30C に固定する固定手段50を形成するものとなっている。
【００５６】
（仮固定手段60）
仮固定手段60は、ベース部21の底面21B が平行位置βに配置された状態に副基板ケース20を一時的に固定するものである。換言すると、仮固定手段60は、平行位置βへの固定を解除可能に、副基板ケース20を平行位置βに固定するものである。
【００５７】
すなわち、図３において、パネルケース30の背面30C には、図３の如く、図３中下方に配置された側縁の両端近傍部分から副基板ケース20へ向かって突出する第１当接部61及び第２当接部62が設けられている。
第１当接部61及び第２当接部62の各々は、パネルケース30に揺動可能に支持されるベース部21の底面21B における揺動側先端近傍の部分に当接するものとなっている。
【００５８】
このうち、第２当接部62は、長方形状の断面を有するとともに、すべての角部が面取された四角錐台状の部位となっている。
そして、第２当接部62は、副基板ケース20が平行位置βに配置されると、先端がベース部21の底面21B に当接して、それ以上、副基板ケース20がパネルケース30側へ接近しないように、副基板ケース20の移動を規制するものとなっている。
【００５９】
第１当接部61は、図８に示すように、互いに対向する二組の側壁部61A, 61Bを有するとともに、先端が開口された四角筒状の部位である。
側壁部61A, 61Bのうち、一方、側壁部61A の両側には、その先端から基端へ向かって延びるスリット61C が形成されている。
側壁部61A は、このスリット61C によって、第１当接部61の角隅部分から切り離されて、先端部分が弾性変形して揺動可能となっている。
そして、一対の側壁部61A のそれぞれ先端には、第１当接部61の外側を向いた側面から突出するとともに、楔形状に形成された爪部61D が設けられている。
側壁部61B は、第１当接部61の該当する側面全体に拡がるとともに、平坦な平板状に形成された部位となっている。
【００６０】
図６において、ベース部21の底面21B には、図６の如く、当該底面21B からパネルケース30の背面30C へ向かって突出する一対の係止片63、及び、一対の位置決め片64が設けられている。
一対の係止片63は、ベース部21の底面21B におけるパネルケース30側の第１当接部61に備えられた一対の側壁部61A に対応して配置されたものである。
これらの係止片63の各々には、図４の如く、第１当接部61側の対応する側壁部61A に設けられた爪部61D を係止する係止孔63A が設けられている。
【００６１】
副基板ケース20側に設けられた係止片63の係止孔63A は、副基板ケース20が平行位置βに配置されると、図１０の如く、パネルケース30側に設けられた第１当接部61の爪部61D に係止されるようになっている。
このような第１当接部61及び係止片63によって、副基板ケース20は、ベース部21の底面21B が平行位置βに配置された状態でパネルケース30の背面30C に仮固定されるようになっている。
【００６２】
また、第１当接部61に設けられた一対の側壁部61A の根本部分を互いに近づくように方向に押圧することで、係止片63の係止孔63A の係止から第１当接部61の爪部61D を解放する、換言すると、爪部61D の係止孔63A による係止を解除することができるようになっている。
この爪部61D の係止孔63A による係止の解除によって、副基板ケース20は、平行位置βから傾斜位置αへ移動することができるようになっている。
【００６３】
一対の位置決め片64は、図６の如く、それぞれがベース部21の底面21B から突出する平板状の突片であり、Ｌ字形に交差するように配置されている。
さらに具体的に説明すると、一対の位置決め片64のうち、一方の位置決め片64A は、ベース部21の図６中下方の端縁に平行となるように配置され、他方の位置決め片64B は、ベース部21の図６中下方の端縁に直交するように配置されている。
【００６４】
これらの位置決め片64A, 64Bは、ベース部21の底面21B におけるパネルケース30側の第２当接部62に対応して配置されたものである。
さらに詳しく説明すると、図３において、第２当接部62には、図３の如く、パネルケース30の図３中下方に配置された側縁に平行となる側面62A と、第１当接部61側に臨む側面62B とが備えられている。
【００６５】
位置決め片64A は、第２当接部62の側面62A に対応して配置され、副基板ケース20が平行位置βに配置されると、第２当接部62の側面62A に接して、副基板ケース20の図３中上方への移動を規制するものとなっている。
位置決め片64B は、第２当接部62の側面62B に対応して配置され、副基板ケース20が平行位置βに配置されると、第２当接部62の側面62B に接して、副基板ケース20の図３中右方への移動を規制するものとなっている。
【００６６】
以上において、第１当接部61、第２当接部62、係止片63、及び、位置決め片64は、平行位置βに配置された副基板ケース20を当該平行位置βに仮固定する仮固定手段60を形成するものとなっている。
【００６７】
（レーザー刻印）
続いて、副基板ケース20の蓋部22をベース部21に接合する図示しないネジを封止する封止カシメ部材22C 等に施されるレーザー刻印について図１０を参照しながら説明する。
図１０において、パネルケース30を前扉３に固定するための耳部31には、図１０に示すように、封止カシメ部材31A が嵌め込まれている。
この封止カシメ部材31A の頭部表面と、耳部31の露出している表面とには、両方にまたがってレーザー刻印領域31B が設けられている。
また、蓋部22におけるベース部21へのネジ接合部分である凹部22B には、封止カシメ部材22C が嵌め込まれている。
この封止カシメ部材22C の頭部表面と、蓋部22における凹部22B を囲む部分の表面とには、両方にまたがってレーザー刻印領域22H が設けられている。
パネルケース30に設けられたレーザー刻印領域31B 、及び、副基板ケース20に設けられたレーザー刻印領域22H のそれぞれには、スロットマシン１の個体毎に異なる個体データ、例えば、シリアル番号等がレーザー刻印されるようになっている。
【００６８】
（副基板ケース20の取付手順）
次いで、副基板ケース20を前扉３に固定する固定手順について説明する。
副基板ケース20を前扉３に固定するにあたり、予め、副基板ケース20のベース部21に副制御基板16をセットした状態で、ベース部21に蓋部22をネジ止めし、凹部22B に封止カシメ部材22C を嵌め込んで、副基板ケース20を閉鎖・封止しておく。
この副基板ケース20の閉鎖・封止作業に並行あるいは前後して、パネルケース30の内部に液晶表示パネル装置4Eを収納固定しておく。
【００６９】
そして、パネルケース30の軸受ポスト45A, 45Bに形成された軸受孔44A 44Bの内部に、副基板ケース20側の支持軸41A, 41Bを順次挿入した後、副基板ケース20を平行位置βに配置するとともに、仮固定手段60で副基板ケース20を平行位置βに仮固定し、これにより、パネルケース30の背面30C に副基板ケース20を一体化しておく。
次いで、背面30C に副基板ケース20が一体化されたパネルケース30を、前扉３の背面における所定位置にネジ止めした後、パネルケース30の耳部31に封止カシメ部材31A を嵌め込み、ネジ止め箇所を封止する。
【００７０】
続いて、パネルケース30に設けられたレーザー刻印領域31B 、及び、副基板ケース20に設けられたレーザー刻印領域24C のそれぞれにレーザー刻印を行う。
この際、副基板ケース20が平行位置βに配置されているので、パネルケース30におけるレーザー刻印領域31B が形成された面と、副基板ケース20におけるレーザー刻印領域22H が形成された面とは、平行となっている。このため、パネルケース30側のレーザー刻印作業及び副基板ケース20側のレーザー刻印作業は、同一のレーザー刻印装置で、中断することなく、連続して行うことができる。
【００７１】
レーザー刻印作業が完了したら、副基板ケース20を傾斜位置αから平行位置βへ移動させた後、副基板ケース20が傾斜位置αから平行位置βへ向かって移動しないように、固定手段50を利用して、副基板ケース20をパネルケース30にネジ止めする。
副基板ケース20の固定作業が完了したら、固定手段50によるネジ止め箇所を封止カバー23, 24で覆い、封止カバー23, 24を副基板ケース20の蓋部22にネジ止めし、封止カバー23, 24の凹部23A, 24Aに封止カシメ部材24B を嵌め込み、ネジ止め箇所を封止し、以上により、副基板ケース20を前扉３に固定する固定作業が完了する。
【００７２】
（実施形態の効果）
前述のような本実施形態によれば、次のような効果が得られる。
すなわち、副基板ケース20に設けられたベース部21の底面21B がパネルケース30の背面30C に対して傾斜する傾斜位置αに、当該ベース部21を配置した状態で、固定手段50で、副基板ケース20をパネルケース30の背面30C に固定するようにしたので、ベース部21の底面21B がパネルケース30の背面30C から離れて、ベース部21の底面21B 、すなわち、副基板ケース20の裏側の面を視認することができるようになり、これにより、副基板ケース20の裏側に対して行われた不正行為を確実に発見することができ、この点から、副制御基板16の不正交換防止を確実に図ることができる。
また、副基板ケース20をパネルケース30の背面30C に固定する固定手段としてネジ止め固定式の固定手段50を採用したので、固定手段50が破壊に対して充分に堅牢なものとなり、当該固定手段50を破壊することが困難となる。このため、固定手段50を破壊して、副制御基板16を収納した副基板ケース20を強奪することも困難となり、これにより、奪取した副基板ケース20の副制御基板16を不正改造することができなくなり、さらには、副制御基板16の不正交換も未然に防止することもでき、従って、裏側を視認できるようにしても、副制御基板16の不正交換防止を充分に図ることができる。
【００７３】
さらに、副基板ケース20の蓋部22に設定されたレーザー刻印領域22H にレーザー光線でレーザー刻印を行うにあたり、副基板ケース20を平行位置βに配置しておいたので、レーザー刻印領域22H が形成された面に照射されるレーザー光線の入射角が、従来と同様の角度となり、レーザー刻印装置に新たな治具を設置する等の変更を何ら要することなく、従来と同様にレーザー刻印領域22H にレーザー刻印を施すことができる。
【００７４】
なお、本発明は、前記実施形態に限定されるものではなく、本発明の目的を達成できる範囲における変形及び改良などをも含むものである。
例えば、前記実施形態では、副基板ケース20を平行位置βに仮固定する仮固定手段60のみを設けたが、副基板ケース20を傾斜位置αに仮固定する仮固定手段を追加設置し、副基板ケース20を傾斜位置αにも仮固定できるようにしてもよい。
【００７５】
さらに、基板ケースとしては、副基板ケース20に限らず、例えば、リールユニット10やホッパユニット12の動作を制御する主制御基板15を収納する主基板ケース2Dでもよく、要するに、遊技機に設けられている装置の動作を制御する回路基板を収納する基板ケースであればよい。
また、遊技機としては、スロットマシンに限らず、パチンコ機等の弾球遊技機でもよく、要するに、本発明は、内蔵する装置の動作制御する制御回路が形成された回路基板を備えた遊技機全般に適用できる。
【符号の説明】
【００７６】
1      遊技機であるスロットマシン
16      制御基板としての副制御基板
20      基板ケースとしての副基板ケース
21      ベース部
21B     底面
22      蓋部
30      被固定部材としてのパネルケース
30C     背面
40      揺動支持部
50      固定手段
α      傾斜位置
β      平行位置
【図１】
2013215457.tif 000003
【図２】
2013215457.tif 000004
【図３】
2013215457.tif 000005
【図４】
2013215457.tif 000006
【図５】
2013215457.tif 000007
【図６】
2013215457.tif 000008
【図７】
2013215457.tif 000009
【図８】
2013215457.tif 000010
【図９】
2013215457.tif 000011
【図１０】
2013215457.tif 000012
【図１１】
2013215457.tif 000013
【図１２】
2013215457.tif 000014